(57)【要約】      （修正有）【課題】段差のある場所などでも容易に荷物を運搬することができ、より安全に使用可能なキャリーバッグを提供する。【解決手段】キャリーバッグ１が、収納部と有する略円筒形のバッグ本体と、バッグ本体よりも外方に設けられるカバー部３と、バッグ本体とカバー部３との間に設けられると共に回動自在に設けられる１つの円筒形の回動帯５と、回動帯５を回動させるための回動手段と、を備えるものとし、回動帯５が、その外周側に周方向に延在する接地部５ａと凹部５ｂとを有し、カバー部３が、回動帯５を接地させるための開口部３ｂを有するものとする。【選択図】図６
0003225879.tif 000002
【実用新案登録請求の範囲】
【請求項１】
収納部と有する略円筒形のバッグ本体と、
該バッグ本体よりも外方に設けられるカバー部と、
該バッグ本体と該カバー部との間に設けられると共に回動自在に設けられる１つの略円筒形の回動帯と、
該回動帯を回動させるための回動手段と、を備え、
該回動帯は、その外周側に周方向に延在する接地部と凹部とを有し、
該カバー部は、該回動帯を接地させるための開口部を有していることを特徴とするキャリーバッグ。
【請求項２】
前記凹部は、前記回動帯の外周側に溝部又は切欠部として設けられていることを特徴とする請求項１に記載のキャリーバッグ。
【請求項３】
前記回動帯は、その中央部分が凹んだ形状をしていることを特徴とする請求項２に記載のキャリーバッグ。
【請求項４】
前記回動手段は、前記回動帯と前記バッグ本体との間に設けられ、複数のベアリング機構から構成されることを特徴とする請求項１乃至３の何れかに記載のキャリーバッグ。
【考案の詳細な説明】
【技術分野】
【０００１】
本発明は、旅行等の際に使用されるキャリーバッグに関し、より詳細には、段差等があっても容易に荷物を運搬することのできるキャリーバッグに関する。
【背景技術】
【０００２】
従来、キャリーバッグは略角柱形状の収納部の下面に小さなタイヤを設け、前記キャリーバッグを引きずって、該タイヤを転がすことで、収納部内の荷物を比較的楽に運搬可能としたものが知られている（例えば、特許文献１を参照）。
【０００３】
この様なキャリーバッグは、階段のような段差がある場所や日本国外において鉄道に乗車する際等にはキャリーバッグを引きずることができないため、使用者がキャリーバッグを持ち上げる必要があるが、これは使用者にとってかなりの重労働であり、時には使用者が怪我をしたり腰等を痛めたりする要因となるという欠点があった。
【０００４】
上記の様な欠点を解決したキャリーバッグとして、円筒形でその両端面の周縁に２つの回転リングを備えたキャリーバッグがある（以下、円筒型バッグという）。このような円筒型バッグは、使用者がより大きな回転リングを回動させながらキャリーバッグを運搬することができるので、段差等があっても、比較的小さい力で重い荷物を運搬することが可能である（例えば、特許文献２を参照）。
【先行技術文献】
【特許文献】
【０００５】
【特許文献１】特開平１１−４６８３０号公報
【特許文献２】国際公開第２０１８／０２５９１２号
【考案の概要】
【考案が解決しようとする課題】
【０００６】
しかしながら、従来の円筒型バッグは、次のような欠点を有するため、使用者等に危険が生じる可能性があるものであった。
【０００７】
（ｉ）回転リングが２つあるため、その回転リングの一方に不意にロックが掛かり回動不能となった際に、使用者がそれに気づかずに円筒型バッグを引くと回動不能となった回転リングを中心に円筒型バッグが回転し、円筒型バッグが転倒する恐れがある。
【０００８】
（ii）回転リングとカバーとの間の隙間から、砂礫等の異物がカバー内に一旦入り込んでしまうと、該隙間は、非常に狭いものであるためカバー外に該異物を排出することは困難となる。カバー内の異物は、カバーと回転リングとの間等に引っ掛かってしまう等して回転リングを回動不能とする要因となってしまう。このため。円筒型バッグの運搬に支障が生じる可能性がある。これは、上記（ｉ）を助長する要因ともなってしまう。
【０００９】
（iii）使用者が収納部に荷物を詰めた際に円筒型バッグの重心が端面の一方側へと偏ってしまった場合、回転リングが２つあると、特に段差や傾斜のある場所等ではそのバランスが崩れ、円筒型バッグが転倒する恐れがある。そして、使用者に円筒型バッグの重心を考慮に入れて荷物を収納部に詰めることを求めることは現実的ではない。
【００１０】
そこで、本考案は、従来技術が有する上記欠点（ｉ）乃至（iii）を解決し、段差のある場所などでも容易に荷物を運搬することができ、より安全に使用可能なキャリーバッグを提供することを目的とする。
【課題を解決するための手段】
【００１１】
本考案は、収納部と有する略円筒形のバッグ本体と、該バッグ本体よりも外方に設けられるカバー部と、該バッグ本体と該カバー部との間に設けられると共に回動自在に設けられる１つの略円筒形の回動帯と、該回動帯を回動させるための回動手段と、を備え、該回動帯は、その外周側に周方向に延在する接地部と凹部とを有し、該カバー部は、該回動帯を接地させるための開口部を有していることを特徴とするキャリーバッグである。
【００１２】
尚、本考案は、前記凹部を、前記回動帯の外周側に溝部又は切欠部として設けることが可能である。又、本考案は、前記回動帯を、その中央部分が凹んだ形状とすることが可能である。又、本考案は、前記回動手段を、前記回動帯と前記バッグ本体との間に設けられる複数のベアリング機構から構成することが可能である。
【考案の効果】
【００１３】
本考案は、１つの  略円筒形の回動帯を設けると共に該回動帯の外周に周方向に延在する凹部を設けたので、従来の円筒型バッグの様に回動部分を複数設ける必要性のなく、又、回動帯に捲き込まれた砂礫等の異物が、凹部へと落ち、そのままカバー外へと排出させる様になっているため回転帯が回動不能となることを防止することができ、キャリーバッグが転倒する危険性が大幅に改善し、使用者が安全に荷物を運搬することが可能である。
【図面の簡単な説明】
【００１４】
【図１】本考案の実施形態の正面図である。
【図２】図１のＡ−Ａ断面図である。
【図３】図２の要部拡大図である。
【図４】本考案の実施形態の平面図である。
【図５】図３のＢ−Ｂ断面図である。
【図６】本考案の実施形態の左側面図である。
【図７】本考案における回動帯の別の態様を示す略図である。
【考案を実施するための形態】
【００１５】
本考案の実施形態を図１乃至図６に基づき説明する。キャリーバッグ１は、バッグ本体２、カバー部３、把持部４、回動帯５及び回動手段としてのベアリング機構６を備える。バッグ本体２は、略円筒形をしており、その一端に設けられる端壁２ａ及び周壁２ｂを備えている。周壁２ｂの内方には、収容部７は設けられている。又、把持部４は、伸縮自在に設けられており、キャリーバック１を移動する際には伸ばされた状態となる。
【００１６】
収容部７には、荷物を収容するための図示されない収容ケースが収容可能に設けられている。本実施形態においては、後述するカバー部３の口部３ａが略半月形状に形成されているため、収容部７もまた断面略半月形状に設けられているが、収容部７を断面略円形状に設けること可能である。この様にすることで、収容部７には、空間２ｃに対応する箇所に死角となる空間が存在することとなり、収容部７を複数の該収容ケースが収容可能に設けると共に該収容ケースの一つを該空間に収容可能に設けることで、パスポート等の貴重品を収容しておくシークレットバッグとしての機能を持たせることが可能となる。
【００１７】
ベアリング機構６は、回動帯６を回動させるための回動手段の一例であり、周壁２ｂよりも外方に設けられ、ホイール部６ａ及びベアリング部６ｂを有している。ベアリング部６ｂは、左右で１対のベアリング６ｃ及びベアリング６ｃを橋絡するシャフト部６ｄを有しており、複数設けられている。尚、ベアリング部６ｂの数や形状は、回動帯５の回動に支障がでない限りにおいて、適宜変更可能である。更に、該回動手段として、ベアリング機構６の替わりに潤滑液を用いて、該潤滑油によって、回動帯５を回動させる様にしてもよい。
【００１８】
回動帯５は、回動手段（本実施形態においては、ベアリング機構６）によって回動する略円筒形の部材であり、キャリーバッグ１を移動するために１つだけ設けられている。又、回動帯５は、その外周側に、周方向に延在する接地部５ａ及び凹部５ｂを有している。本実施形態においては、回動帯５は、その接地部５ａの内周側に嵌着部５ｃが形成されており、嵌合部５ｃがベアリング機構６のホイール部６ｂと嵌合することによって取り付けられる。尚、回動帯５の幅は、キャリーバッグ１の運搬等に支障のでない範囲で適宜変更可能であるが、バッグ本体の幅の５０％乃至１００％の範囲となるよう形成されるのが好ましい。本実施形態の様にバッグ本体の幅と略等しくなるように形成されている。
【００１９】
接地部５ａは、キャリーバッグ１を移動させる際に、地面等と接触する部分である。凹部５ｂは、後述するカバー部３と回動帯５との間に砂礫等の異物によって、回動帯５の回動が阻害されるのを防止するために設けられており、カバー部３内に入り込んだ砂礫等の異物が凹部５ｂへと落下する様になっている。
【００２０】
本実施形態において、凹部５ｂが、その外周側に且つ周方向に沿って延在する溝として設けられると共に凹部５ｂの両側に沿って接地部５ａが設けられており、回動帯５は、全体としてその中央部分が凹んだ形状をしている。尚、接地部５ａと凹部５ｂの数、大きさ、形状等は、キャリーバッグ１の移動性や凹部５ｂへの該異物の落下性能等が損なわれない範囲で適宜選択可能であり、切欠として形成することも可能である（例えば、図７を参照）。
【００２１】
カバー部３は、バック本体２を覆う様に取り付けられている。カバー部３には、収容部７の内外を連通する口部３ａが設けられていると共に回動帯５を外部に露出させ、キャリーバッグ１を移動する際に接地させるための開口部３ｂが形成されている。口部３ａには、蓋体８が開閉可能に取り付けられている。本実施形態においては、非移動時に、キャリーバッグ１を立たせておくために、カバー部３の底部に接地面３ｃが設けられている。尚、カバー部３は、その天面部３ｄにリュックサック等の他のバッグ類を載置可能に設けることも可能である。
【００２２】
本実施形態のキャリーバッグ１においては、カバー部３内に入り込んだ砂礫等の異物は、重力等の影響によって、回転帯４の凹部５ｂに落下し、回転帯４の回動に伴って、そのままカバー部３外へと排出されることとなる。そして、凹部５ｂの底は、回動帯５の接地部５ａよりも内方に位置しているためカバー部３の間に十分な隙間があり、該異物が、回動帯５を回動不能とすることを防止することができる。
【００２３】
本発明を上記実施形態に基づき説明したが、本考案は、上記実施形態に限定されるものではなく、考案の要旨を変更しない範囲で適宜変更可能である。
【００２４】
例えば、回動帯５の制動機構（図示せず）を別途設けることが可能である。この場合において、把持部４に該制動機構の操作部を設け、使用者が把持部を把持している間だけ回動帯５を回動可能にしてもよい。この様にすることで、坂道等の傾斜のある場所で、誤って手を放してしまっても、回動帯５にロックが掛かることになるため、キャリーバッグ１が該傾斜を転がり落ちることを防止することができ、より安全にキャリーバッグ１を使用することができる様になる。
【符号の説明】
【００２５】
１    キャリーバッグ      ２    バッグ本体          ２ａ  端壁
２ｂ  周壁                ２ｃ  空間                ３    カバー部
３ａ  口部                ３ｂ  開口部              ３ｃ  接地面
３ｄ  天面部              ４    把持部              ５    回動帯
５ａ  接地部              ５ｂ  凹部                ５ｃ  嵌合部
６    ベアリング機構      ６ａ  ホイール部          ６ｂ  ベアリング部
６ｃ  ベアリング          ６ｄ  シャフト            ７    収容部
８    蓋体
【図１】
0003225879.tif 000003
【図２】
0003225879.tif 000004
【図３】
0003225879.tif 000005
【図４】
0003225879.tif 000006
【図５】
0003225879.tif 000007
【図６】
0003225879.tif 000008
【図７】
0003225879.tif 000009
【手続補正書】
【提出日】令和2年2月6日(2020.2.6)
【手続補正１】
【補正対象書類名】実用新案登録請求の範囲
【補正対象項目名】請求項１
【補正方法】変更
【補正の内容】
【請求項１】
収納部を有する略円筒形のバッグ本体と、
該バッグ本体よりも外方に設けられるカバー部と、
該バッグ本体と該カバー部との間に設けられると共に回動自在に設けられる１つの略円筒形の回動帯と、
該回動帯を回動させるための回動手段と、を備え、
該回動帯は、その外周側に周方向に延在する接地部と凹部とを有し、
該カバー部は、該回動帯を接地させるための開口部を有していることを特徴とするキャリーバッグ。
【手続補正２】
【補正対象書類名】明細書
【補正対象項目名】０００１
【補正方法】変更
【補正の内容】
【０００１】
本考案は、旅行等の際に使用されるキャリーバッグに関し、より詳細には、段差等があっても容易に荷物を運搬することのできるキャリーバッグに関する。
【手続補正３】
【補正対象書類名】明細書
【補正対象項目名】００１１
【補正方法】変更
【補正の内容】
【００１１】
本考案は、収納部を有する略円筒形のバッグ本体と、該バッグ本体よりも外方に設けられるカバー部と、該バッグ本体と該カバー部との間に設けられると共に回動自在に設けられる１つの略円筒形の回動帯と、該回動帯を回動させるための回動手段と、を備え、該回動帯は、その外周側に周方向に延在する接地部と凹部とを有し、該カバー部は、該回動帯を接地させるための開口部を有していることを特徴とするキャリーバッグである。
【手続補正４】
【補正対象書類名】明細書
【補正対象項目名】００１３
【補正方法】変更
【補正の内容】
【００１３】
本考案は、１つの略円筒形の回動帯を設けると共に該回動帯の外周に周方向に延在する凹部を設けたので、従来の円筒型バッグの様に回動部分を複数設ける必要性のなく、又、回動帯に捲き込まれた砂礫等の異物が、凹部へと落ち、そのままカバー外へと排出させる様になっているため回転帯が回動不能となることを防止することができ、キャリーバッグが転倒する危険性が大幅に改善し、使用者が安全に荷物を運搬することが可能である。
【手続補正５】
【補正対象書類名】明細書
【補正対象項目名】００１５
【補正方法】変更
【補正の内容】
【００１５】
本考案の実施形態を図１乃至図６に基づき説明する。キャリーバッグ１は、バッグ本体２、カバー部３、把持部４、回動帯５及び回動手段としてのベアリング機構６を備える。バッグ本体２は、略円筒形をしており、その一端に設けられる端壁２ａ及び周壁２ｂを備えている。周壁２ｂの内方には、収容部７が設けられている。又、把持部４は、伸縮自在に設けられており、キャリーバック１を移動する際には伸ばされた状態となる。
【手続補正６】
【補正対象書類名】明細書
【補正対象項目名】００２３
【補正方法】変更
【補正の内容】
【００２３】
本考案を上記実施形態に基づき説明したが、本考案は、上記実施形態に限定されるものではなく、考案の要旨を変更しない範囲で適宜変更可能である。